(57)【特許請求の範囲】
【請求項１】
携帯電話の表示装置に表示される動画を表わす動画ファイルのフォーマットを変換する動画ファイル・フォーマット変換装置において，
上記携帯電話の通信サービスを提供している会社の公式フォーマットを用いて上記動画ファイルを変換した場合に，変換後の上記動画ファイルのデータ量が上記携帯電話の受信容量以下となるときには，上記動画ファイルを上記公式フォーマットで変換する公式フォーマット変換手段，
上記公式フォーマットを用いて上記動画ファイルを変換した場合に，変換後の上記動画ファイルのデータ量が上記携帯電話の受信容量より多くなるときには，上記動画ファイルを独自フォーマットで変換する独自フォーマット変換手段，ならびに
上記公式フォーマット変換手段によって公式フォーマットで変換された動画ファイルまたは上記独自フォーマット変換手段によって独自フォーマットで変換された動画ファイルを，上記携帯電話の機種ごとに動画ファイル・データベースに記憶するように制御する記憶制御手段，
を備えた動画ファイル・フォーマット変換装置。
【請求項２】
携帯電話から送信された動画を要求する動画要求データを受信する受信手段，
上記受信手段によって受信した動画要求データを送信した携帯電話の機種を検出する機種検出手段，
携帯電話の通信サービスを提供している会社の公式フォーマットで変換されている動画ファイルを多数記憶している公式フォーマット動画データベース，
独自フォーマットで変換されている動画ファイルを多数記憶している独自フォーマット動画データベース，
上記公式フォーマット動画データベースまたは上記独自フォーマット動画データベースの中から，上記機種検出手段によって検出された機種に対応する動画ファイルであり，かつ上記受信手段によって受信した動画要求データによって要求された動画を表わす動画ファイルを見つけ出す動画ファイル検索手段，および
上記動画ファイル検索手段によって見つけ出された動画ファイルを，上記受信手段によって受信した動画要求データを送信した携帯電話に送信する動画ファイル送信手段，
を備えた動画ファイル送信サーバ。
【請求項３】
上記動画ファイル送信手段は，
上記動画ファイル検索手段によって，上記公式フォーマット動画データベースから上記公式フォーマットで変換されている動画ファイルが見つけ出された場合には，上記公式フォーマットで変換されている動画ファイルを，上記受信手段によって受信した動画要求データを送信した携帯電話に送信するものであり，上記公式フォーマット動画データベースから上記公式フォーマットで変換されている動画ファイルが見つけ出されなかった場合には，上記独自フォーマット動画データベースから見つけ出された上記独自フォーマットで変換されている動画ファイルを，上記受信手段によって受信した動画要求データを送信した携帯電話に送信するものである，
請求項２に記載の動画ファイル送信サーバ。
【請求項４】
上記受信手段によって動画要求データを送信した携帯電話から送信された再生用ソフトウエア・リクエストを受信する再生用ソフトウエア・リクエスト受信手段，および
上記再生用ソフトウエア・リクエスト受信手段によって再生用ソフトウエア・リクエストを受信したことに応じて，上記独自フォーマットで変換されている動画ファイルを再生する再生用ソフトウエアを，再生用ソフトウエア・リクエストを送信した携帯電話に送信する再生用ソフトウエア送信手段，
をさらに備えた請求項３に記載の動画ファイル送信サーバ。
【請求項５】
携帯電話の表示装置に表示される動画を表わす動画ファイルのフォーマットを変換する動画ファイル・フォーマット変換装置の動作制御方法において，
公式フォーマット変換手段が，上記携帯電話の通信サービスを提供している会社の公式フォーマットを用いて上記動画ファイルを変換した場合に，変換後の上記動画ファイルのデータ量が上記携帯電話の受信容量以下となるときには，上記動画ファイルを上記公式フォーマットで変換し，
独自フォーマット変換手段が，上記公式フォーマットを用いて上記動画ファイルを変換した場合に，変換後の上記動画ファイルのデータ量が上記携帯電話の受信容量より多くなるときには，上記動画ファイルを独自フォーマットで変換し，
記憶制御手段が，上記公式フォーマット変換手段によって公式フォーマットで変換された動画ファイルまたは上記独自フォーマット変換手段によって独自フォーマットで変換された動画ファイルを，上記携帯電話の機種ごとに動画ファイル・データベースに記憶するように制御する，
動画ファイル・フォーマット変換装置の動作制御方法。
【請求項６】
携帯電話の通信サービスを提供している会社の公式フォーマットで変換されている動画ファイルを多数記憶している公式フォーマット動画データベース，および独自フォーマットで変換されている動画ファイルを多数記憶している独自フォーマット動画データベースを備えた動画ファイル送信サーバの動作制御方法であって，
受信手段が，携帯電話から送信された動画を要求する動画要求データを受信し，
機種検出手段が，上記受信手段によって受信した動画要求データを送信した携帯電話の機種を検出し，
動画ファイル検索手段が，上記公式フォーマット動画データベースまたは上記独自フォーマット動画データベースの中から，上記機種検出手段によって検出された機種に対応する動画ファイルであり，かつ上記受信手段によって受信した動画要求データによって要求された動画を表わす動画ファイルを見つけ出し，
動画ファイル送信手段が，上記動画ファイル検索手段によって見つけ出された動画ファイルを，上記受信手段によって受信した動画要求データを送信した携帯電話に送信する，
動画ファイル送信サーバの動作制御方法。
【発明の詳細な説明】
【技術分野】
【０００１】
この発明は，動画ファイル・フォーマット変換装置および動画ファイル送信サーバならびにそれらの動作制御方法に関する。
【背景技術】
【０００２】
携帯電話に動画を表示できるようになってきている。携帯電話の動画表示能力は機種ごとに異なるために，機種に応じて動画ファイルを変換するものがある（特許文献１）。
【特許文献１】特開2006-121614号公報
【０００３】
また，携帯電話では携帯電話の通信サービスを提供している会社が認めている公式フォーマットの動画ファイルのほかに独自フォーマットの動画ファイルを再生させることも考えられている。公式フォーマットの動画ファイルによって表わされる動画は比較的高画質であるが，公式フォーマットでは長時間再生できないことが多い。これに対して，独自フォーマットの動画は長時間再生できるが画質が比較的良くないことが多い。
【発明の開示】
【０００４】
この発明は，機種および動画ごとに適したフォーマットをもつ動画ファイルを生成することを目的とする。
【０００５】
また，この発明は，動画ファイルを要求した携帯電話における再生に適したフォーマットをもつ動画ファイルを，その携帯電話に送信することを目的とする。
【０００６】
この発明は，携帯電話の表示装置に表示される動画を表す動画ファイルのフォーマットを変換する動画ファイル・フォーマット変換装置において，上記携帯電話の通信サービスを提供している会社の公式フォーマットを用いて上記動画ファイルを変換するかどうかを，上記携帯電話の機種ごとに定められている動画再生仕様にもとづいて判定する判定手段，上記判定手段により上記動画ファイルを公式フォーマットで変換すると判定されたことにより，上記動画ファイルを公式フォーマットで変換する公式フォーマット変換手段，上記判定手段により上記動画ファイルを公式フォーマットで変換しないと判定されたことにより，上記動画ファイルを独自フォーマットで変換する独自フォーマット変換手段，および上記公式フォーマット変換手段によって公式フォーマットで変換された動画ファイルまたは上記独自フォーマット変換手段によって独自フォーマットで変換された動画ファイルを，上記携帯電話の機種ごとに動画ファイル・データベースに記憶するように制御する記憶制御手段を備えていることを特徴とする。
【０００７】
この発明は，上記動画ファイル・フォーマット変換装置に適した動作制御方法も提供している。すなわち，携帯電話の表示装置に表示される動画を表す動画ファイルのフォーマットを変換する動画ファイル・フォーマット変換装置の動作制御方法において，判定手段が，上記携帯電話の通信サービスを提供している会社の公式フォーマットを用いて上記動画ファイルを変換するかどうかを，上記携帯電話の機種ごとに定められている動画再生仕様にもとづいて判定し，公式フォーマット変換手段が，上記判定手段により上記動画ファイルを公式フォーマットで変換すると判定されたことにより，上記動画ファイルを公式フォーマットで変換し，独自フォーマット変換手段が，上記判定手段により上記動画ファイルを公式フォーマットで変換しないと判定されたことにより，上記動画ファイルを独自フォーマットで変換し，記憶制御手段が，上記公式フォーマット変換手段によって公式フォーマットで変換された動画ファイルまたは上記独自フォーマット変換手段によって独自フォーマットで変換された動画ファイルを，上記携帯電話の機種ごとに動画ファイル・データベースに記憶するように制御するものである。
【０００８】
この発明によると，動画ファイルを公式フォーマットで変換するかどうかが，携帯電話の機種ごとに定められている動画再生仕様にもとづいて判定される。動画ファイルを公式フォーマットで変換すると判定された場合には，動画ファイルが公式フォーマットで変換される。動画ファイルを公式フォーマットで変換しないと判定された場合には独自フォーマットで変換される。公式フォーマットで変換された動画ファイルまたは独自フォーマットで変換された動画ファイルが携帯電話の機種ごとに動画ファイル・データベースに記憶される。携帯電話の機種および動画ごとに適したフォーマットをもつ動画ファイルが生成されて，生成された動画ファイルが記憶されるようになる。
【０００９】
第２の発明による動画ファイル送信サーバは，携帯電話から送信された動画を要求する動画要求データを受信する受信手段，上記受信手段によって受信した動画要求データを送信した携帯電話の機種を検出する機種検出手段，携帯電話の通信サービスを提供している会社の公式フォーマットで変換されている動画ファイルまたは独自フォーマットで変換されている動画ファイルを携帯電話の機種ごとに多数記憶している動画ファイル・データベースの中から，上記機種検出手段によって検出された機種に対応する動画ファイルであり，かつ上記受信手段によって受信した動画要求データによって要求された動画を表わす動画ファイルを見つけ出す動画ファイル検索手段，および上記動画ファイル検索手段によって見つけ出された動画ファイルを，上記受信手段によって受信した動画要求データを送信した携帯電話に送信する動画ファイル送信手段を備えていることを特徴とする。
【００１０】
第２の発明は，上記動画ファイル送信サーバに適した動作制御方法も提供している。すなわち，この方法は，受信手段が，携帯電話から送信された動画を要求する動画要求データを受信し，機種検出手段が，上記受信手段によって受信した動画要求データを送信した携帯電話の機種を検出し，動画ファイル検索手段が，携帯電話の通信サービスを提供している会社の公式フォーマットで変換されている動画ファイルまたは独自フォーマットで変換されている動画ファイルを携帯電話の機種ごとに多数記憶している動画ファイル・データベースの中から，上記機種検出手段によって検出された機種に対応する動画ファイルであり，かつ上記受信手段によって受信した動画要求データによって要求された動画を表わす動画ファイルを見つけ出し，動画ファイル送信手段が，上記動画ファイル検索手段によって見つけ出された動画ファイルを，上記受信手段によって受信した動画要求データを送信した携帯電話に送信するものである。
【００１１】
第２の発明によると，携帯電話から送信された動画要求データが受信される。また，動画要求データを送信した携帯電話の機種が検出される。すると，公式フォーマットで変換されている動画ファイルまたは独自フォーマットで変換されている動画ファイルが携帯電話の機種ごとに多数記憶されている動画ファイル・データベースの中から，検出された機種に対応する動画ファイルであり，かつ動画要求データによって要求された動画ファイルが見つけ出される。見つけ出された動画ファイルが動画ファイル送信サーバから携帯電話に送信される。動画ファイルを要求した携帯電話における再生に適したフォーマットをもつ動画ファイルが，その携帯電話に送信されることとなる。
【実施例】
【００１２】
図１は，この発明の実施例を示すもので，動画ファイル・フォーマット変換装置１の電気的構成を示すブロック図である。
【００１３】
この実施例による動画ファイル・フォーマット変換装置１は，元動画ファイルを，携帯電話に送信するのに適した公式(標準)フォーマットをもつ動画ファイルまたは独自フォーマットをもつ動画ファイルに変換するものである。公式フォーマットは，携帯電話の通信サービスを提供している会社（キャリア）が定めているフォーマットである。公式フォーマットの動画ファイルを再生するソフトウエアは，携帯電話を購入したときに，携帯電話にあらかじめインストールされている。これに対して，独自フォーマットは，携帯電話の通信サービスを提供している会社が定めているフォーマットではないフォーマットである。公式フォーマットでないフォーマットすべてが独自フォーマットとなる。独自フォーマットの動画ファイルを再生するソフトウエアは，携帯電話を購入したときに，携帯電話にはあらかじめインストールされていない。独自フォーマットの動画ファイルを再生するソフトウエアは，携帯電話を購入後にユーザがその再生ソフトウエアをダウンロードしてインストールする。
【００１４】
携帯電話には，受信可能な動画ファイルの容量が定められており，その容量を超えた動画ファイルを受信することはできない。一般的には，独自フォーマットに変換された動画ファイルによって表わされる動画の画質よりも公式フォーマットに変換された動画ファイルによって表わされる動画の画質の方が良い。このために，この実施例においては，元動画ファイルが公式フォーマットに変換された場合に，変換後の動画ファイルが，携帯電話の受信容量を超えない場合には元動画ファイルは公式フォーマットに変換される。元動画ファイルが公式フォーマットに変換された場合に，変換後の動画ファイルが，携帯電話の受信容量を超える場合には元動画ファイルは独自フォーマットに変換される。
【００１５】
フォーマット変換される元動画ファイルが動画入力インターフェイス２を介して動画ファイル・フォーマット変換装置１に入力する。入力した元動画ファイルは変換フォーマット判定装置５に入力する。
【００１６】
また，動画ファイルのフォーマット変換に必要な変換パラメータが変換パラメータ・インターフェイス３を介して動画ファイル・フォーマット変換装置１に入力する。入力した変換パラメータも変換フォーマット判定装置５に入力する。
【００１７】
図２は，変換パラメータの一例を示している。
【００１８】
変換パラメータには，携帯電話の機種およびキャリアならびに動画仕様がある。動画仕様には，解像度，ビット・レート，方式などがある。動画仕様が携帯電話の機種およびキャリアごとに定められている。その動画仕様に沿った動画ファイルとなるように元動画ファイルが変換されるのが，公式フォーマットによる元動画ファイルの変換である。
【００１９】
図１に戻って，変換フォーマット判定装置５には，受信容量メモリ４が含まれている。この受信容量メモリ４には，図３に示すように，携帯電話が受信できる動画ファイルの容量を示すデータが携帯電話（およびキャリア）ごとに記憶されている。変換パラメータ入力インターフェイス３に入力した変換パラメータに含まれている機種に対応した機種の受信容量が受信容量メモリ４から読み出されて変換フォーマット判定装置５に入力する。
【００２０】
変換フォーマット判定装置５において，元動画ファイルを公式フォーマットによって変換するかどうかが判定される。元動画ファイルが公式フォーマットで変換された場合に（上述のように変換パラメータに含まれる動画仕様に沿って変換された場合に），変換後の動画ファイルのデータ量が携帯電話の受信容量以下となるときには，元動画ファイルが公式フォーマットにより変換される。元動画ファイルが公式フォーマットで変換された場合に，変換後の動画ファイルのデータ量が携帯電話の受信容量より多くなるときには，元動画ファイルが独自フォーマットにより変換される。
【００２１】
変換フォーマット判定装置５において公式フォーマットにより変換すると判定された場合には，元動画ファイルおよび変換パラメータが第１の動画変換装置６に入力する。第１の動画変換装置６において，元動画ファイルが公式フォーマットで変換される。公式フォーマットで変換された動画ファイルは公式フォーマット動画データベース８に格納される。
【００２２】
変換フォーマット判定装置５において独自フォーマットにより変換すると判定された場合には，元動画ファイルは第２の動画変換装置７に入力する。第２の動画変換装置７において，元動画ファイルが独自フォーマットで変換される。第２の動画変換装置７には，独自フォーマットに変換するためのパラメータ等があらかじめ設定されており，その設定されているパラメータ等を用いて元動画ファイルが独自フォーマットに変換されるのはいうまでもない。独自フォーマットで変換された動画ファイルは独自フォーマット動画データベース９に格納される。
【００２３】
変換フォーマット判定装置５における判定処理は，携帯電話の受信容量にもとづいて判定しているが，元動画ファイルによって表わされる元動画の再生時間にもとづいて判定するようにしてもよい。たとえば，元動画ファイルのデータ量が300KBであり，変換パラメータにおけるビット・レートが64kbpsの携帯電話の場合，元動画ファイルによって表される元動画の再生時間が300kb／64kbps＝37.5［秒］以内であれば，その携帯電話が公式フォーマットで再生できる。このように，携帯電話の受信容量だけでなく，元動画の再生時間を用いて，公式フォーマットでの変換を行うかどうかを判定することができる。所定のしきい値（受信容量，再生時間）を用いて，公式フォーマット変換を行うかどうかを判定することができる。
【００２４】
図４は，公式フォーマット動画データベース８に格納されている動画ファイルのディレクトリ構造を示している。
【００２５】
公式フォーマット動画データベース８には，元動画ごとに機種（およびキャリア）に対応して，公式フォーマットで変換された動画ファイルが格納される。たとえば，元動画ｍ１の下の階層に携帯電話の機種（およびキャリア）の階層が生成されている。公式フォーマットで変換された動画ファイルが存在する場合には，機種に対応して，その機種の下の階層に公式フォーマットで変換された動画ファイルが格納される。元動画ｍ１については，機種ＡＡＡ（キャリアａａａ）の携帯電話に対応する公式フォーマットの動画ファイルは生成されていないが，機種ＢＢＢ（キャリアｂｂｂ）の携帯電話に対応する公式フォーマットの動画ファイルβが生成されて機種ＢＢＢに対応して公式フォーマット動画データベース８に格納されている。元動画ｍ１の元動画ファイルを公式フォーマットで変換した場合，変換後の動画ファイルは動画機種ＡＡＡ（キャリアａａａ）の携帯電話では受信できないために公式フォーマットでは変換されていないが，機種ＢＢＢ（キャリアｂｂｂ）の携帯電話では受信できるために公式フォーマットで変換された動画ファイルβが公式フォーマット動画データベース８に格納されていることとなる。
【００２６】
図５は，独自フォーマット動画データベース９に格納されている動画ファイルのディレクトリ構造を示している。
【００２７】
独自フォーマット動画データベース９には，元動画ごとに機種（およびキャリア）に対応して，独自フォーマットで変換された動画ファイルが格納される。公式フォーマット動画データベース８と同様に，たとえば，元動画ｍ１の下の階層に携帯電話の機種（およびキャリア）の階層が生成されている。独自フォーマットで変換された動画ファイルが存在する場合には，機種に対応して，その機種の下の階層に独自フォーマットで変換された動画ファイルが格納される。元動画ｍ１については，機種ＡＡＡ（キャリアａａａ）の携帯電話に対応する独自フォーマットの動画ファイルα１〜αｎが生成されて機種ＢＢＢに対応して独自フォーマット動画データベース９に格納されているが，機種ＢＢＢ（キャリアｂｂｂ）の携帯電話に対応する独自フォーマットの動画ファイルは生成されていない。機種ＡＡＡ（キャリアａａａ）に対応する元動画ｍ１の元動画ファイルが公式フォーマットで変換されていないので，独自フォーマットで変換されて独自フォーマット動画データベース９に格納されることとなる。
【００２８】
図６は，動画ファイル・フォーマット変換装置１の処理手順を示すフローチャートである。
【００２９】
元動画ファイル，変換パラメータが入力され（ステップ11），入力した元動画ファイルを公式フォーマットで変換するかどうかが機種ごとに判定される（ステップ12）。
【００３０】
入力した元動画ファイルを公式フォーマットで変換する場合には（ステップ13でＹＥＳ），入力された変換パラメータに含まれる動画仕様にもとづいて元動画ファイルが公式フォーマットで変換される（ステップ14）。公式フォーマットで変換された元動画ファイルが公式フォーマット動画データベース８に，機種に対応して格納される（ステップ15）。
【００３１】
上述の実施例においては，公式フォーマット動画データベース８と独自フォーマット動画データベース９とは別々のものであったが，一つのデータベースに公式フォーマットの動画ファイルと独自フォーマットの動画ファイルとを格納するようにしてもよい。
【００３２】
入力した元動画ファイルを公式フォーマットで変換しない場合には（ステップ13でＮＯ），元動画ファイルが独自フォーマットで変換される（ステップ16）。独自フォーマットで変換された元動画ファイルが独自フォーマット動画データベース９に，機種に対応して格納される（ステップ17）。
【００３３】
すべての機種について元動画ファイルの変換が終了するまでステップ12から17までの処理が繰り返される（ステップ18）。
【００３４】
図７から図15は，他の実施例を示すものである。
【００３５】
図７は，動画ファイル送信システムの概要を示している。
【００３６】
動画ファイル送信システムには，互いに通信可能な携帯電話21と動画ファイル送信サーバ22とが含まれている。
【００３７】
携帯電話21には，表示装置，テン・キーパッド，通信回路，マイクロフォン，スピーカなどが含まれている。動画ファイル送信サーバ22には，上述した公式フォーマット動画データベース８および独自フォーマット動画データベース９が接続されている。また，動画ファイル送信サーバ22には，ＣＰＵ，メモリ，表示装置，キーボード，通信インターフェイスなどが含まれている。メモリには，独自フォーマットの動画ファイルを再生するためのソフトウエアが格納されている。
【００３８】
この実施例による動画ファイル送信システムにおいては，携帯電話21から動画の要求があると，上述したようにあらかじめ生成されている動画ファイルのうち，携帯電話21の機種（およびキャリア）に応じて生成されている公式フォーマットの動画ファイルまたは独自フォーマットの動画ファイルが携帯電話21に送信される。たとえば，携帯電話21が機種ＡＡＡ（キャリアａａａ）であり，要求した動画の元動画が元動画ｍ１であるとすると，独自フォーマットの動画ファイルα１〜αｎが携帯電話21に送信される。携帯電話21が機種ＢＢＢ（キャリアｂｂｂ）であり，要求した動画の元動画が元動画ｍ１であるとすると，公式フォーマットの動画ファイルβが携帯電話21に送信される。
【００３９】
図８および図９は，携帯電話21と動画ファイル送信サーバとの処理手順を示すフローチャートである。
【００４０】
携帯電話21から動画ファイル送信サーバ22に，http（HyperText Transfer Protocol）リクエストが送信される（ステップ31）。
【００４１】
携帯電話21から送信されたhttpリクエストが動画ファイル送信サーバ22において受信される（ステップ51）。httpリクエストには，要求する動画を特定するデータならびに携帯電話21の機種およびキャリアを特定するデータが含まれているので，動画ファイル送信サーバ22においてhttpリクエストから携帯電話21の機種，キャリア，要求している元動画が判別される（ステップ52）。すると，携帯電話21のキャリア，要求された元動画が変換されたフォーマットにもとづいて，携帯電話21に動画要求画像を表示させるためのHTML（HyperText Markup Language）ファイルが生成される（ステップ53）。たとえば，要求された動画について公式フォーマットの動画ファイルが生成されている場合であって，携帯電話21のキャリアがキャリアａａａの場合には図10に示すHTMLファイルが生成され，携帯電話21のキャリアがキャリアｂｂｂの場合には図11に示すHTMLファイルが生成され，携帯電話21のキャリアがキャリアｃｃｃの場合には図12に示すHTMLファイルが生成される。要求された動画について公式フォーマットの動画ファイルが生成されていずに独自フォーマットの動画ファイルが生成されている場合には図13に示すHTMLファイルが生成される。
【００４２】
図10は，キャリアＡＡＡの携帯電話に公式フォーマットの動画ファイルが送信される場合に，その携帯電話に送信されるHTMLファイルに記述される内容を示している。図10において，HTMLファイルには行の記述は無いが説明の便宜上加入している。主要なもののみを説明する。
【００４３】
第１行から第４行はｘｍｌ（Extensible Markup Language）フォーマットに準拠していることを示している。
【００４４】
第５行から第11行がボディ部分である。第６行は要求される動画にユニークなＩＤが付与されることを示す。第７行は動画ファイルの格納場所を示している。第８行は変換された動画ファイルの方式，動画の再生方法などを示している。第10行は後述するように，図14に示すようにHTMLファイルによって表示される動画要求画像に含まれる「再生する」ボタン61の文字列の表示およびその「再生する」ボタンが押されることにより，付与されたユニークなＩＤによって特定される動画が要求されることを示している。
【００４５】
図11は，キャリアＢＢＢの携帯電話に公式フォーマットの動画ファイルが送信される場合に，その携帯電話に送信されるHTMLファイルに記述される内容を示している。
【００４６】
第１行から第４行は，図10に示すものと同様にｘｍｌフォーマットに準拠していることを示している。
【００４７】
第５行から第12行がボディ部分である。第６行は動画ファイルの格納場所を示している。第７行および第８行は動画ファイルの方式，動画のコピー禁止，図14に示すようにHTMLファイルによって表示される動画要求画像に含まれる「再生する」ボタン61の文字列が表示されることなどを示している。第９行は動画のデータ量等を示している。第10行は動画のタイトル等を示している。
【００４８】
図12は，キャリアＣＣＣの携帯電話に公式フォーマットの動画ファイルが送信される場合に，その携帯電話に送信されるHTMLファイルに記述される内容を示している。
【００４９】
第１行から第４行は，図10および図11に示すものと同様にｘｍｌフォーマットに準拠していることを示している。
【００５０】
第５行から第７行がボディ部分である。第６行は動画の格納場所を示すとともに，図14に示すようにHTMLファイルによって表示される動画要求画像に含まれる「再生する」ボタン61の文字列を表示させ，「再生する」ボタンが押されると動画が要求されることを示すものである。
【００５１】
図10から図12に示すHTMLファイルによって，図14に示す公式フォーマットの動画要求画像60が得られる。この公式フォーマットの動画要求画像60には，ほぼ中央部分にクリック可能な「再生する」ボタン61が形成されている。要求した動画を再生する場合には「再生する」ボタン61がクリックされる。
【００５２】
図13は，携帯電話に独自フォーマットの動画ファイルが送信された場合に，その携帯電話に送信されるHTMLファイルに記述される内容を示している。
【００５３】
第１行から第４行は，図10〜図12に示すものと同様にｘｍｌフォーマットに準拠していることを示している。
【００５４】
第５行から第15行がボディ部分である。第６行は，再生用ソフトウエアにユニークなＩＤを付与していること，再生用ソフトウエアのアプリケーション名，再生用ソフトウエアがＪＡＶＡにもとづくものであることなどを示している。第７行は，動画の格納場所等を示している。第10行は，図15に示すようにHTMLファイルによって表示される動画要求画像に含まれる「ＤＯＷＮＬＯＡＤ」ボタン71の上の「再生用ソフトウエア」の文字列が表示されることを示している。第11行は，図15に示すようにHTMLファイルによって表示される動画要求画像に含まれる「ＤＯＷＮＬＯＡＤ」ボタン71の文字列を表示すること，その「ＤＯＷＮＬＯＡＤ」ボタン71がクリックされることによりダウンロードされる再生用ソフトウエアの格納場所などを示している。第13行は，図14に示すようにHTMLファイルによって表示される動画要求画像に含まれる「再生する」ボタン72の文字列を表示すること，その「再生する」ボタン72がクリックされることにより，動画の要求が行われることなどを示している。
【００５５】
図13に示すHTMLファイルによって，図15に示す独自フォーマットの動画要求画像70が得られる。この独自フォーマットの動画要求画像70には，上部にクリック可能な「ＤＯＷＮＬＯＡＤ」ボタン71が形成され，ほぼ中央部分にクリック可能な「再生する」ボタン72が形成されている。独自フォーマットの動画ファイルを再生するソフトウエアは公式フォーマットの動画ファイルを再生するソフトウエアと異なり，携帯電話21にはあらかじめインストールされていない。このために，独自フォーマットの動画ファイルを再生するソフトウエアが携帯電話21にインストールされていないことがある。独自フォーマットのソフトウエアをダウンロードするときに「ＤＯＷＮＬＯＡＤ」ボタン71がクリックされる。要求した動画を再生するときに，「再生する」ボタン72がクリックされる。
【００５６】
図８に戻って，HTMLファイルが生成されると，生成されたHTMLファイルが動画ファイル送信サーバ22から携帯電話21に送信される（ステップ54）。
【００５７】
動画ファイル送信サーバ22から送信されたHTMLファイルが携帯電話21において受信される（ステップ32）。すると，受信したHTMLファイルが公式フォーマットの動画ファイルの要求画像を表示するものかどうかが判定される（ステップ33）。
【００５８】
受信したHTMLファイルが公式フォーマットの動画ファイルの要求画像を表示するものである場合には（ステップ33でＹＥＳ），受信したHTMLファイルによって公式フォーマットの動画要求画像（図14参照）が携帯電話21の表示画面に表示される（ステップ34）。
【００５９】
「再生する」ボタン61がクリックされると（ステップ35でＹＥＳ），動画リクエストが携帯電話21から動画ファイル送信サーバに送信される（図９ステップ41）。
【００６０】
動画ファイル送信サーバ22において，携帯電話21から送信されたリクエストが受信されると（図８ステップ55），そのリクエストが動画リクエストの場合には，動画リクエストによって要求された動画ファイルであって，動画ファイルを要求した機種（キャリア）に応じて生成されている公式フォーマットまたは独自フォーマットの動画ファイルが公式フォーマット動画データベース８または独自フォーマット動画データベース９から読み出される。読み出された動画ファイルが動画ファイル送信サーバ22から携帯電話21に送信される（ステップ51）。
【００６１】
公式フォーマットの動画要求画像の「再生する」ボタン61がクリックされたことにより，動画ファイル送信サーバ22から携帯電話21に送信された動画ファイルは公式フォーマットのものであり，その公式フォーマットの動画ファイルが携帯電話21において受信される（図９ステップ41）。受信した動画ファイルによって表わされる動画が携帯電話において再生される（ステップ42）。再生される動画は公式フォーマットのものであるから，比較的高画質のものとなる。
【００６２】
携帯電話21が受信したHTMLファイルが独自フォーマットのものであると（図８ステップ33でＮＯ），携帯電話21の表示画面には図15に示す独自フォーマットの動画要求画像70が表示される（図９ステップ36）。上述したように独自フォーマットの動画要求画像70には「ＤＯＷＮＬＯＡＤ」ボタン71と「再生する」ボタン72とが含まれているから，ボタンがクリックされた場合にはどちらのボタンがクリックされたかが判定される（ステップ37）。
【００６３】
「再生する」ボタン72がクリックされた場合には，携帯電話21に独自フォーマットの動画ファイルを再生するソフトウエアがすでにインストールされているかどうかが確認される（ステップ38）。
【００６４】
独自フォーマットの動画ファイルを再生するソフトウエアがすでにインストールされている場合には（ステップ38でＹＥＳ），動画リクエストが携帯電話21から動画ファイル送信サーバ22に送信される（ステップ40）。
【００６５】
動画リクエストが動画ファイル送信サーバ22において受信されると（図８ステップ55），要求された動画を表し，かつ独自フォーマットの動画ファイルが独自フォーマット動画データベース９から読み取られる。読み取られた独自フォーマットの動画ファイルが動画ファイル送信サーバ22から携帯電話21に送信される（図８ステップ57）。
【００６６】
動画ファイル送信サーバ22から送信された独自フォーマットの動画ファイルが携帯電話21において受信されると（図９ステップ41でＹＥＳ），受信した動画ファイルが再生され（ステップ42），携帯電話21の表示画面に動画が表示される。独自フォーマットの動画ファイルが複数ある場合には，最初の動画ファイルが動画ファイル送信サーバ22から携帯電話21に送信されて再生が行われ，その再生中に次の動画ファイルの要求が携帯電話21から動画ファイル送信サーバ22に送信される。このように，複数の動画ファイルがある場合には，一つの動画ファイルによって表される動画の再生中に次の動画ファイルの送信要求が携帯電話21から動画ファイル送信サーバに行われることとなる。複数の動画ファイルがある場合には，動画をどこまで見たかを携帯電話21に記憶させることもできる。その場合には，以前に見た動画の続きから再生することもできる。もちろん，必ずしも，ユーザが以前に見た動画の続きを見る必要は無いので，以前の動画の続きを見る必要があるかどうかをユーザに確認させるようにしてもよい。
【００６７】
携帯電話21に独自フォーマットの動画ファイル再生用ソフトウエアがインストールされていない場合には（図９ステップ38でＮＯ），携帯電話21の表示画面には「再生用ソフトウエアをダウンロードして下さい」の文字列が表示される（ステップ39）。ユーザは，「ＤＯＷＮＬＯＡＤ」ボタン71をクリックして，独自フォーマットの動画ファイル再生用ソフトウエアを動画ファイル送信サーバ22からダウンロードすることとなる。
【００６８】
独自フォーマットの動画要求画像が携帯電話21の表示画面に表示されている場合において（図９ステップ36），「ＤＯＷＮＬＯＡＤ」ボタン71がクリックされると（ステップ37），携帯電話21に独自フォーマットの動画再生用ソフトウエアがすでにインストールされているかどうかが確認される（ステップ43）。
【００６９】
携帯電話21に独自フォーマットの動画再生用ソフトウエアがすでにインストールされている場合には（ステップ43でＹＥＳ），携帯電話21の表示画面に「ダウンロード済のためダウンロード不要です」の文字列が表示される（ステップ44）。
【００７０】
携帯電話21に独自フォーマットの動画再生用ソフトウエアがインストールされていない場合には（ステップ43でＮＯ），再生用ソフトウエア・リクエストが携帯電話21から動画ファイル送信サーバ22に送信される（ステップ45）。
【００７１】
携帯電話21から送信された再生用ソフトウエア・リクエストが動画ファイル送信サーバ22において受信されると（図８ステップ55），動画ファイル送信サーバ22のメモリに格納されている再生用ソフトウエアが読み出される。読み出された再生用ソフトウエアが動画ファイル送信サーバ22から携帯電話21に送信される（図８ステップ56）。
【００７２】
動画ファイル送信サーバ22から送信された再生用ソフトウエアが携帯電話21において受信されると（図９ステップ46），受信された再生用ソフトウエアが携帯電話21にインストールされることとなる（図９ステップ47）。携帯電話21において，独自フォーマットの動画ファイルを再生できるようになる。
【００７３】
このようにして，公式フォーマットまたは独自フォーマットの動画ファイルを携帯電話21において再生できるようになる。
【図面の簡単な説明】
【００７４】
【図１】動画ファイル・フォーマット変換装置の電気的構成を示すブロック図である。
【図２】変換パラメータの一例である。
【図３】機種ごとの受信容量を示している。
【図４】公式フォーマット動画データベースのディレクトリ構造を示している。
【図５】独自フォーマット動画データベースのディレクトリ構造を示している。
【図６】動画ファイル・フォーマット変換装置の処理手順を示すフローチャートである。
【図７】動画ファイル送信システムの概要を示している。
【図８】携帯電話と動画ファイル送信サーバとの間の処理手順を示している。
【図９】携帯電話の処理手順を示している。
【図１０】HTMLファイルに記述される内容を示している。
【図１１】HTMLファイルに記述される内容を示している。
【図１２】HTMLファイルに記述される内容を示している。
【図１３】HTMLファイルに記述される内容を示している。
【図１４】携帯電話に表示される動画要求画像の一例である。
【図１５】携帯電話に表示される動画要求画像の一例である。
【符号の説明】
【００７５】
１  動画ファイル・フォーマット変換装置
５  変換フォーマット判定装置
６，７  動画変換装置
８  公式フォーマット動画データベース
９  独自フォーマット動画データベース
21  携帯電話
22  動画ファイル送信サーバ
【図１】
0005154876.tif 000002
【図２】
0005154876.tif 000003
【図３】
0005154876.tif 000004
【図４】
0005154876.tif 000005
【図５】
0005154876.tif 000006
【図６】
0005154876.tif 000007
【図７】
0005154876.tif 000008
【図８】
0005154876.tif 000009
【図９】
0005154876.tif 000010
【図１０】
0005154876.tif 000011
【図１１】
0005154876.tif 000012
【図１２】
0005154876.tif 000013
【図１３】
0005154876.tif 000014
【図１４】
0005154876.tif 000015
【図１５】
0005154876.tif 000016